(57)【要約】【課題】高性能な処理装置を用いることなく、送信パラメータの決定の精度を劣化させないこと。【解決手段】ＴＰＣ積算部３０１は、通信端末装置でのＣＱＩ生成区間以外のＤＬ用ＴＰＣコマンドを積算する。ＣＱＩ補正部３０２は、通信端末装置から送信されたＣＱＩ信号をＴＰＣコマンドの積算値に基づいて補正する。送信先決定部３０３は、パケット伝送用制御信号よりパケットを送信する候補となる通信端末装置を選択し、選択した通信端末装置から送信されたＣＱＩ信号であり、補正されたＣＱＩに基づいて送信先装置を決定する。ＭＣＳ決定部３０４は、送信先決定部３０３が決定した送信先装置から送信されたＣＱＩ信号のうち、送信先決定部３０３で用いられたＣＱＩの次に送信されたＣＱＩであり、補正されたＣＱＩに基づいて送信先装置のＭＣＳ選択を行う。【選択図】      図３
2004215104.tif 000002
【特許請求の範囲】
【請求項１】
通信端末装置から送信された下り回線状態を示す第１の報告値に基づいて、パケットデータの送信先である通信端末装置を決定する送信先決定手段と、
前記送信先決定手段によって決定された通信端末装置に割り当てる送信パラメータを第２の報告値に基づいて決定する送信パラメータ決定手段と、
を具備し、
前記第１の報告値は前記第２の報告値よりも前に報告されたことを特徴とする送信割り当て制御装置。
【請求項２】
前記送信先決定手段は、送信先の通信端末装置の決定と同時に、当該通信端末装置に送信する信号の送信電力を決定し、前記送信パラメータ決定手段は、変調方式、符号化率、及び、コード多重数を決定することを特徴とする請求項１に記載の送信割り当て制御装置。
【請求項３】
前記送信先決定手段は、送信先の通信端末装置の決定と同時に、当該通信端末装置に送信する信号の送信電力を仮決定し、前記送信パラメータ決定手段は、前記送信先決定手段において仮決定された送信電力を最終決定すると共に、変調方式、符号化率、及び、コード多重数を決定することを特徴とする請求項１に記載の送信割り当て制御装置。
【請求項４】
通信端末装置から随時送信される送信電力制御情報に基づいて、前記報告値を補正する報告値補正手段を具備することを特徴とする請求項１から請求項３のいずれかに記載の送信割り当て制御装置。
【請求項５】
請求項１から請求項４のいずれかに記載の送信割り当て制御装置を具備することを特徴とする基地局装置。
【請求項６】
パケットデータの送信先である通信端末装置を決定する際に、送信先の通信端末装置に割り当てる送信パラメータの決定に用いる下り回線状態を示す報告値よりも前に報告された報告値を用いることを特徴とする送信割り当て制御方法。
【発明の詳細な説明】
【０００１】
【発明の属する技術分野】
本発明は、無線通信システムにおいて、共通物理チャネルを用いてパケットデータ通信を行う際の送信割り当て制御に関するものであり、例えば、基地局装置に適用して好適なものである。
【０００２】
【従来の技術】
無線通信の分野では、高速大容量な下りチャネルを複数の通信端末装置が共有し、基地局装置から通信端末装置にパケットデータを伝送する下り高速パケット伝送方式が開発されている。この下り高速パケット伝送方式では、伝送効率を高めるために、スケジューリング技術及び適応変調技術が用いられている。
【０００３】
スケジューリング技術とは、基地局装置がタイムスロット毎に下り高速パケットの送信先となる通信端末装置を設定し、通信端末装置に送信するパケットデータを割り当てる技術である。また、適応変調技術とは、パケットデータを送信する通信端末装置の伝搬路の状態に応じて適応的にＭＣＳ（Ｍｏｄｕｌａｔｉｏｎ  ａｎｄ  Ｃｏｄｉｎｇ  Ｓｃｈｅｍｅ）選択、すなわち変調方式、符号化率及びコード多重数等の決定を行う技術である。
【０００４】
以下、高速パケット伝送を行う無線通信システムの基地局装置及び通信端末装置の動作について概説する。
【０００５】
基地局装置は、各通信端末装置から報告（送信）された下り回線状態の報告値（例えば、ＣＱＩ：Ｃｈａｎｎｅｌ  Ｑｕａｌｉｔｙ  ｏｆ  Ｉｎｄｉｃａｔｏｒ）に基づいて回線状態を予測し、予測した回線状態やＱｏＳ等から送信先の通信端末装置を選択し、各タイムスロットにその通信端末装置へのパケットデータを割り当てる。また、基地局装置は、決定した送信先の通信端末装置に送信する際の変調方式、符号化率及びコード多重数等を決定し、これに基づいてパケットデータを誤り訂正符号化及び変調して送信先の通信端末装置に送信する。
【０００６】
各通信端末装置は、受信したスケジューリング結果を示す情報に基づいて、自局宛のパケットが割り当てられたタイムスロットにおいて復調を行い、ＣＲＣ検出等を行って、パケットデータを正しく復調できた場合にはこれを示すＡＣＫ信号を、パケットデータを正しく復調できなかった場合にはこれを示すＮＡＣＫ信号を基地局装置に送信する。
【０００７】
その通信端末装置に対して、基地局装置は、ＡＣＫ信号を受信すると新規パケットデータを送信し、ＮＡＣＫ信号を受信すると同一パケットデータを再送信する。
【０００８】
ここで、通信端末装置に送信する際の変調方式、符号化率及びコード多重数等を決定するための下り回線状態の報告値としてＣＱＩを用いて、以下に説明する。なお、本明細書において、ＣＩＲ測定からＣＱＩ生成までの動作をＣＱＩ測定と呼ぶことにする。通信端末装置でのＣＱＩの測定から、基地局装置での送信先装置の選択、変調方式、符号化率及びコード多重数等の送信パラメータを決定するまでに要する処理時間が長いと、基地局装置でのパケット送信の際には、ＣＱＩを測定した時点での回線状態が変化していることがあり、最適な送信パラメータが選択されているとは限らない。具体的には、通信端末装置でのＣＱＩ測定時から基地局装置でのパケット送信時までの間に伝搬路状態が悪くなってしまうと、通信端末装置ではパケットを受信できなくなってしまう。逆に、伝搬路状態が良くなっていると、パケット送信時に送信可能なデータ量よりも少ないデータ量しか送らないことになり、いずれもスループットの低下を招いてしまう。すなわち、ＣＱＩ測定から送信パラメータ（変調方式、符号化率及びコード多重数等）決定までの処理時間が長いと、送信パラメータの決定精度を劣化させる。そのため、通信端末装置におけるＣＱＩの測定から基地局装置における送信先の通信端末装置の選択、変調方式、符号化率及びコード多重数等の決定までを短時間で処理しなければならない。
【０００９】
【特許文献１】
特開２００２−１５２２２８号公報
【００１０】
【発明が解決しようとする課題】
しかしながら、通信端末装置におけるＣＱＩの測定から基地局装置における送信先の通信端末装置の選択及び送信パラメータ（変調方式、符号化率及びコード多重数等）の決定までの処理を短時間で行わなければならないため、高性能（高速で処理可能）な処理装置を用いなければならないという問題があった。
【００１１】
本発明はかかる点に鑑みてなされたものであり、高性能な処理装置を用いることなく、送信パラメータの決定精度を劣化させない送信割り当て制御装置及び送信割り当て制御方法を提供することを目的とする。
【００１２】
【課題を解決するための手段】
かかる課題を解決するため、本発明の送信割り当て制御装置は、通信端末装置から送信された下り回線状態を示す第１の報告値に基づいて、パケットデータの送信先である通信端末装置を決定する送信先決定手段と、前記送信先決定手段によって決定された通信端末装置に割り当てる送信パラメータを第２の報告値に基づいて決定する送信パラメータ決定手段と、を具備し、前記第１の報告値は前記第２の報告値よりも前に報告された構成を採る。
【００１３】
この構成によれば、送信先である通信端末装置の決定と、決定された通信端末装置に割り当てる送信パラメータの決定とでは、送信パラメータを決定する方が後に行われ、これらの決定が時分割で行われることを利用し、送信パラメータの決定に用いる下り回線状態を示す第２の報告値よりも前に報告された第１の報告値を用いて送信先を決定することにより、これらの決定を同じ報告値に基づいて行う場合に比べ、これらの決定に要する時間を拡大することにより、単位時間当たりの処理量を削減することができる。また、送信パラメータの決定には、送信先決定に用いられた第１の報告値よりも後に報告された第２の報告値を用いることから、パケットの送信時の伝搬路状態により対応した送信パラメータで送信することができる。
【００１４】
本発明の送信割り当て制御装置は、上記構成において、前記送信先決定手段が、送信先の通信端末装置の決定と同時に、当該通信端末装置に送信する信号の送信電力を決定し、前記送信パラメータ決定手段が、変調方式、符号化率、及び、コード多重数を決定する構成を採る。
【００１５】
この構成によれば、送信先装置と送信電力の決定とを同時に行うことから、電力リソースに余裕があれば、複数の送信先装置を選択することができる。
【００１６】
本発明の送信割り当て制御装置は、上記構成において、前記送信先決定手段が、送信先の通信端末装置の決定と同時に、当該通信端末装置に送信する信号の送信電力を仮決定し、前記送信パラメータ決定手段が、前記送信先決定手段において仮決定された送信電力を最終決定すると共に、変調方式、符号化率、及び、コード多重数を決定する構成を採る。
【００１７】
この構成によれば、送信先装置と送信電力の仮決定とを同時に行うことから、電力リソースに余裕があれば、複数の送信先装置を選択することができる上、仮決定された送信電力を最終決定すると共に、変調方式、符号化率、及び、コード多重数を決定することから、さらに最適な送信電力と送信パラメータの組み合わせを選択することができる。
【００１８】
本発明の送信割り当て制御装置は、上記構成において、通信端末装置から随時送信される送信電力制御情報に基づいて、前記報告値を補正する報告値補正手段を具備する構成を採る。
【００１９】
この構成によれば、通信端末装置において生成される報告値の報告周期に休止区間がある場合、休止区間中に伝搬路の状態が変動するため、送信された報告値を用いて送信先の決定やＭＣＳの決定に対して下り回線状態を正確に示していないことがあるが、休止区間においても随時通信端末装置から送信され、下り回線状態を反映する送信電力制御情報を用いて前記報告値を補正することにより、下り回線状態をより正確に示す報告値を得ることができる。
【００２０】
本発明の基地局装置は、上記構成を有する送信割り当て制御装置を具備する構成を採る。この構成によれば、送信先の決定及び送信パラメータの決定に要する時間を拡大することにより、単位時間当たりの処理量を削減することができ、また、パケットの送信時の伝搬路状態により対応した送信パラメータで送信することができる。
【００２１】
本発明の送信割り当て制御方法は、パケットデータの送信先である通信端末装置を決定する際に、送信先の通信端末装置に割り当てる送信パラメータの決定に用いる下り回線状態を示す報告値よりも前に報告された報告値を用いるようにした。
【００２２】
この方法によれば、送信先である通信端末装置の決定と、決定された通信端末装置に割り当てる送信パラメータの決定とでは、送信パラメータを決定する方が後に行われ、これらの決定が時分割で行われることを利用し、送信パラメータの決定に用いる下り回線状態の報告値よりも前に報告された報告値を用いて送信先を決定することにより、これらの決定を同じ報告値に基づいて行う場合に比べ、これらの決定に要する時間を拡大することができ、単位時間当たりの処理量を削減することができる。また、送信パラメータの決定には、送信先決定に用いられた報告値よりも後に報告された報告値を用いることから、パケットの送信時の伝搬路状態により対応した送信パラメータで送信することができる。
【００２３】
【発明の実施の形態】
本発明の骨子は、パケットデータの送信先である通信端末装置を決定する際に、送信パラメータの決定に用いる下り回線状態を示す報告値よりも前に報告された報告値を用いることにより、送信先の通信端末装置の決定から送信パラメータの決定までの処理時間を拡大し、単位時間あたりの処理量を削減することである。
【００２４】
以下、本発明の実施の形態について、図面を参照して詳細に説明する。
【００２５】
（一実施の形態）
図１は、本発明の実施の形態に係る基地局装置の構成を示すブロック図である。以下、図１に示した基地局装置１００の受信系について説明する。
【００２６】
共用器（ＤＵＰ）１０２は、アンテナ１０１に受信された信号を受信ＲＦ部１０３に出力する。また、共用器１０２は、送信ＲＦ部１６７から出力された信号をアンテナ１０１から無線送信する。
【００２７】
受信ＲＦ部１０３は、共用器１０２から出力された無線周波数の受信信号をベースバンドのディジタル信号に変換し、復調部１０４に出力する。
【００２８】
復調部１０４は、所定数の通信端末装置分用意され、受信ベースバンド信号に対して逆拡散、ＲＡＫＥ合成等の復調処理を行い、分離部１０５に出力する。
【００２９】
分離部１０５は、復調部１０４の出力信号をデータ信号と制御信号とに分離する。分離部１０５にて分離された制御信号には、ＤＬ（Ｄｏｗｎｌｉｎｋ）用ＴＰＣコマンド、ＣＱＩ信号、ＡＣＫ／ＮＡＣＫ信号等が含まれる。分離された制御信号は復号部１０６に、また、分離されたデータ信号は復号部１０７にそれぞれ出力される。
【００３０】
復号部１０６は、分離部１０５で分離された制御信号に対して誤り訂正復号などの処理を行い、ＤＬ用ＴＰＣコマンド、ＣＱＩ信号及びＡＣＫ／ＮＡＣＫ信号をスケジューラ部１５１に出力し、ＤＬ用ＴＰＣコマンドは送信電力制御部１５８にも出力する。
【００３１】
復号部１０７は、分離部１０５で分離されたデータ信号に対して誤り訂正復号などの処理を行い、受信データを得る。
【００３２】
次に、基地局装置１００の送信系のうち、パケットデータの送信系について説明する。本願発明の特徴部分であるスケジューラ部１５１は、パケット伝送用制御信号、各通信端末装置からのＣＱＩ信号、ＤＬ用ＴＰＣコマンドに基づいてパケットを送信する通信端末装置（以下、「送信先装置」という）を決定し、送信先装置及び送信するパケットデータを示す情報をバッファ（Ｑｕｅｕｅ）１５２に出力する。
【００３３】
また、スケジューラ部１５１は、送信先装置のＣＱＩ信号及びパイロット信号に基づいて変調方式、符号化率及びコード多重数等を決定し、変調部１５３に指示する。また、スケジューラ部１５１は、送信先装置からのＣＱＩ信号に基づいてパケットデータの送信電力を決定し、送信電力を示す信号を送信電力制御部１５４に出力する。
【００３４】
さらに、スケジューラ部１５１は、ＨＳ−ＳＣＣＨ（Ｓｈａｒｅｄ  Ｃｏｎｔｒｏｌ  Ｃｈａｎｎｅｌ  ｆｏｒ  ＨＳ−ＰＤＳＣＨ）によって送信先装置に送信する信号（以下、「ＨＳ−ＳＣＣＨ用信号」という）を変調部１６０に出力する。ＨＳ−ＳＣＣＨ用信号には、パケットデータを送信するタイミング、パケットデータの符号化率及び変調方式等を示す情報（ＴＦＲＩ）が含まれる。なお、スケジューラ部１５１の内部構成については後述する。
【００３５】
バッファ１５２は、スケジューラ部１５１に指示された送信先の通信端末装置に対するパケットデータをＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）によって送信するパケットデータとして変調部１５３に出力する。
【００３６】
変調部１５３は、スケジューラ部１５１の指示に従ってパケットデータに対して誤り訂正符号化、変調及び拡散を行って増幅部１５５に出力する。
【００３７】
送信電力制御部１５４は、増幅部１５５の増幅量を制御することにより、変調部１５３の出力信号の送信電力をスケジューラ部１５１で決定された値となるように制御する。増幅部１５５の出力信号は、ＨＳ−ＰＤＳＣＨで送信される信号であって、多重部（ＭＵＸ）１６６に出力される。
【００３８】
変調部１６０は、スケジューラ部１５１によって出力されたＨＳ−ＳＣＣＨ信号に対して誤り訂正符号化、変調及び拡散を行い、増幅部１６２に出力する。
【００３９】
送信電力制御部１６１は、送信電力制御部１５８の送信電力値にオフセットをつけた値で増幅部１６２の増幅量を制御することにより、スケジューラ部１５１から出力されたＨＳ−ＳＣＣＨ用信号の送信電力を制御する。増幅部１６２にて増幅された信号は、ＨＳ−ＳＣＣＨで送信される信号であって、多重部１６６に出力される。なお、送信電力制御部１６１は、再送状態等によりオフセット値を補正してもよい。
【００４０】
次に、基地局装置１００の送信系のうち、個別の制御情報やデータの送信系について説明する。ここで説明する送信系は、所定数の通信端末装置分用意され、それぞれの通信端末装置に対して動作する。ここでは、特定の１台の通信端末装置に相対する部分について説明する。
【００４１】
多重部（ＭＵＸ）１５６は、各通信端末装置に送信する個別データ（制御信号も含む）にパイロット信号及びＵＬ（Ｕｐｌｉｎｋ）用ＴＰＣコマンドを多重して変調部１５７に出力する。
【００４２】
変調部１５７は、多重部１５６の出力信号に対して誤り訂正符号化、変調及び拡散を行って増幅部１５９に出力する。
【００４３】
送信電力制御部１５８は、ＤＬ用ＴＰＣコマンドに従って増幅部１５９の増幅量を制御することにより、変調部１５７の出力信号の送信電力を制御する。増幅部１５９にて増幅された信号は、ＤＰＣＨ（Ｄｅｄｉｃａｔｅｄ  Ｐｈｙｓｉｃａｌ  Ｃｈａｎｎｅｌ：  Ａｓｓｏｃｉａｔｅｄ  ＤＰＣＨを含む）で送信される信号であって、多重部（ＭＵＸ）１６６に出力される。
【００４４】
最後に、基地局装置１００の送信系のうち、共通制御データの送信系について説明する。変調部１６３は、共通制御データに対して誤り訂正符号化、変調及び拡散を行って増幅部１６５に出力する。送信電力制御部１６４は、増幅部１６５の増幅量を制御することにより、変調部１６３の出力信号の送信電力を制御する。増幅部１６５の出力信号は、ＣＰＩＣＨ（Ｃｏｍｍｏｎ  Ｐｉｌｏｔ  Ｃｈａｎｎｅｌ）等で送信される信号であって、多重部１６６に出力される。
【００４５】
多重部１６６は、増幅部１５５、増幅部１５９、増幅部１６２及び増幅部１６５の各出力信号を多重し、送信ＲＦ部１６７に出力する。
【００４６】
送信ＲＦ部１６７は、多重部１６６から出力されたベースバンドのディジタル信号を無線周波数の信号に変換して共用器１０２に出力する。
【００４７】
図２は、図１に示した基地局装置と無線通信を行う通信端末装置の構成を示すブロック図である。図２の通信端末装置２００は、基地局装置１００から個別データ、共通制御データ、パケットデータ、ＨＳ−ＳＣＣＨ用信号を受信する。以下、図２の通信端末装置２００における各構成部分の作用について説明する。
【００４８】
共用器（ＤＵＰ）２０２は、アンテナ２０１で受信された信号を受信ＲＦ部２０３に出力する。また、共用器２０２は、送信ＲＦ部２５８から出力された信号をアンテナ２０１から無線送信する。
【００４９】
受信ＲＦ部２０３は、共用器２０２から出力された無線周波数の受信信号をベースバンドのディジタル信号に変換し、このディジタル信号をバッファ２０４、復調・復号部２０５、復調部２０８、ＣＩＲ（Ｃａｒｒｉｅｒ  ｔｏ  Ｉｎｔｅｒｆｅｒｅｎｃｅ  Ｒａｔｉｏ）測定部２１２にそれぞれ出力する。
【００５０】
バッファ２０４は、前記ベースバンドのディジタル信号を一時的に保存して復調・復号部２０６に出力する。
【００５１】
復調・復号部２０５は、前記ベースバンドのディジタル信号に対して逆拡散、ＲＡＫＥ合成等を行うことによりＨＳ−ＳＣＣＨ信号を復調し、誤り訂正復号等の復号処理を行い、自局宛パケットデータの到来タイミング、当該パケットデータの変調方式、符号化率及びコード多重数等、パケットデータの復調・復号に必要な情報を取得して復調・復号部２０６に出力する。
【００５２】
復調・復号部２０６は、復調・復号部２０５にて取得された情報に基づいてバッファ２０４に保存されているベースバンドのディジタル信号に対して逆拡散、ＲＡＫＥ合成等を行うことによりＨＳ−ＰＤＳＣＨ信号を復調し、誤り訂正復号等の復号処理を行い、復調・復号処理によって得られたパケットデータを誤り検出部２０７に出力する。
【００５３】
誤り検出部２０７は、復調・復号部２０６から出力されたパケットデータに対して誤り検出を行い、誤りが検出されなかった場合にはＡＣＫ信号を、誤りが検出された場合にはＮＡＣＫ信号を符号化・多重部（ＭＵＸ）２５１に出力する。
【００５４】
復調部２０８は、ベースバンドのディジタル信号に対して逆拡散、ＲＡＫＥ合成等を行うことによりＤＰＣＨ信号を復調し、分離部２０９に出力する。
【００５５】
分離部２０９は、復調部２０８の出力信号をデータと制御信号とに分離する。分離部２０９にて分離された制御信号には、ＵＬ用ＴＰＣコマンド等が含まれる。ＵＬ用ＴＰＣコンドは送信電力制御部２５７に出力される。
【００５６】
ＳＩＲ測定部２１０は、復調の過程で測定される希望波レベル及び干渉波レベルによって下り回線の受信ＳＩＲを測定し、測定した受信ＳＩＲをＴＰＣ生成部２１１に出力する。
【００５７】
ＴＰＣ生成部２１１は、ＳＩＲ測定部２１０から出力された受信ＳＩＲと目標ＳＩＲとの大小関係によりＤＬ用ＴＰＣコマンドを生成し、多重部（ＭＵＸ）２５４に出力する。
【００５８】
ＣＩＲ測定部２１２は、基地局装置から送信された共通制御チャネル（ＣＰＩＣＨ）信号を復調（あるいは、相関演算）してＣＩＲを測定し、測定結果をＣＱＩ生成部２１３に出力する。ＣＱＩ生成部２１３は、基地局装置から送信されたＣＰＩＣＨ信号のＣＩＲに基づくＣＱＩ信号を生成して符号化・多重部２５１に出力する。
【００５９】
符号化・多重部２５１は、ＣＱＩ信号及びＡＣＫ／ＮＡＣＫ信号をそれぞれ誤り訂正符号化してから多重して変調部２５２に出力する。変調部２５２は、多重部２５１の出力信号に対して拡散及び変調を行って多重部（ＭＵＸ）２５６に出力する。
【００６０】
符号化・変調部２５３は、通信端末装置２００から基地局装置１００に送信するデータに対して誤り訂正符号化、拡散及び変調を行って多重部２５６に出力する。
【００６１】
多重部２５４は、ＤＬ用ＴＰＣコマンド、パイロット信号を多重して符号化・変調部２５５に出力する。符号化・変調部２５５は、多重部２５４の出力信号に対して符号化、拡散及び変調を行って多重部２５６に出力する。
【００６２】
多重部２５６は、変調部２５２、符号化・変調部２５３及び符号化・変調部２５５の各出力信号を多重し、送信ＲＦ部２５８に出力する。
【００６３】
送信電力制御部２５７は、ＵＬ用ＴＰＣコマンドに従って送信ＲＦ部２５８の増幅量を制御することにより、多重部２５６の出力信号の送信電力を制御する。なお、複数の基地局装置と接続している場合、送信電力制御部２５７は、全てのＵＬ用ＴＰＣコマンドが送信電力の上昇を指示する場合のみ送信電力を上昇させる制御を行う。
【００６４】
送信ＲＦ部２５８は、多重部２５６から出力されたベースバンドのディジタル信号を増幅し、無線周波数の信号に変換して共用器２０２に出力する。
【００６５】
次に、基地局装置１００のスケジューラ部１５１の内部構成について図３を用いて説明する。なお、ＴＰＣ積算部３０１及びＣＱＩ補正部３０２は、所定数の通信端末装置分用意され、それぞれの通信端末装置に対して動作する。ここでは、特定の１台の通信端末装置に相対する部分について説明する。
【００６６】
ＴＰＣ積算部３０１は、通信端末装置でのＣＱＩ測定区間以外のＤＬ用ＴＰＣコマンドを積算し、積算結果をＣＱＩ補正部３０２に出力する。ここで、ＤＬ用ＴＰＣコマンドを用いたのは、送信電力制御情報としてのＴＰＣコマンドが伝搬路状態を反映したものだからである。すなわち、通信端末装置は、受信時のＳＩＲが所定値未満であれば、伝搬路状態が悪いと認識し、基地局装置に対して送信電力を上げるように要求するＴＰＣコマンド（＋１）を生成し、ＳＩＲが所定値以上であれば、伝搬路状態が良いと認識し、基地局装置に対して送信電力を下げるように要求するＴＰＣコマンド（−１）を生成する。また、ＴＰＣコマンドの生成周期は、ＣＱＩ測定周期より短く、ＣＱＩ測定が所定のインターバルを設けて休止している間もＴＰＣコマンドは随時生成されるため、ＤＬ用ＴＰＣコマンドをＣＱＩ測定休止区間のＣＱＩ補正に用いるようにしたものである。
【００６７】
ＣＱＩ補正部３０２は、通信端末装置から送信されたＣＱＩ信号をＴＰＣコマンド積算部３０１から出力されたＴＰＣコマンドの積算値に基づいて補正する。補正後のＣＱＩは、送信先決定部３０３及びＭＣＳ決定部３０４に出力される。
【００６８】
送信先決定部３０３は、それぞれの通信端末装置に対応したパケット伝送用制御信号、及びＣＱＩ補正部３０２で補正されたＣＱＩに基づいて、送信先の通信端末装置（送信先装置）を決定する。送信先決定部３０３は、送信先装置を示す情報をバッファ１５２、ＭＣＳ決定部３０４、ＨＳ−ＳＣＣＨ用信号生成部３０５に出力する。
【００６９】
送信パラメータ決定手段としてのＭＣＳ決定部３０４は、ＣＱＩ補正部３０２で補正されたＣＱＩに基づいて、送信先装置のＭＣＳ選択（変調方式、符号化率及びコード多重数等の決定）を行い、ＭＣＳをＨＳ−ＳＣＣＨ用信号生成部３０５に出力するとともに変調部１５３に通知する。また、ＭＣＳ決定部３０４でＭＣＳ選択と同時に上記ＣＱＩに基づいてパケットデータの送信電力を決定し、送信電力制御部１５４に出力する（出力線は図示せず）。本実施の形態においては、送信パラメータを、送信電力、変調方式、符号化率、及び、コード多重数とする。
【００７０】
なお、ＣＱＩ補正部３０２から出力されるＣＱＩと送信先決定部３０３の動作タイミング、およびＭＣＳ決定部３０４の動作タイミングについては後述する。
【００７１】
ＨＳ−ＳＣＣＨ用信号生成部３０５は、ＭＣＳ決定部３０４から出力されたＭＣＳ等をもとに送信先装置用のＨＳ−ＳＣＣＨ用信号を生成し、増幅部１６２に出力する。
【００７２】
なお、ここでは、パケットデータの送信電力をＭＣＳ決定部３０４で決定したが、送信先決定部３０３で送信先の通信端末装置（送信先装置）の決定と同時にパケットデータの送信電力を決定することもできる。この場合、送信先装置と送信電力の決定とを同時に行うので、電力リソースに余裕があれば、複数の送信先装置を選択することができる。
【００７３】
さらに、送信先決定部３０３で送信先装置の決定と同時にパケットデータの送信電力を仮決定することもでき、仮決定した上で、ＭＣＳ決定部３０４でＭＣＳ選択と同時に最終的なパケットデータの送信電力を決定することもできる。この場合、電力リソースに余裕があれば、複数の送信先装置を選択することができる上、仮決定した送信電力に基づいて、さらに最適な送信電力と送信パラメータの組み合わせを選択することができる。
【００７４】
次に、送信先決定部３０３及びＭＣＳ決定部３０４の動作について図４を用いて説明する。図４（Ａ）は、従来の送信先決定部及びＭＣＳ決定部の動作を時間軸に沿って示す概念図である。この図において、上段は、送信先装置（通信端末装置）におけるＣＱＩ送信タイミングを示し、下段は、時間軸を示したものであり、ＣＱＩの送信開始時と送信終了時が基準となるようにｔの添え字を正数とした。Ｔ＝ｔ０でＣＱＩ（１）の送信が開始され、Ｔ＝ｔ１でＣＱＩ（１）の送信が終了する。Ｔ＝ｔ１からＴ＝ｔ２までの間（Ｔ＝ｔ１．５）に、ＣＱＩ（１）は基地局装置で受信処理（復調・復号）され、ＣＱＩ（１）を用いて送信先の決定が開始される。
【００７５】
基地局装置は、通信端末装置がＴ＝ｔ２からＴ＝ｔ３の間にＣＱＩ（２）を送信している間のＴ＝ｔ２．５において送信先を決定する。さらに、ＣＱＩ（１）を用いてＭＣＳの決定が行われる。ＭＣＳの決定は、ＣＱＩ（２）の送信終了時（Ｔ＝ｔ３）とＣＱＩ（３）の送信開始時（Ｔ＝ｔ４）の間（Ｔ＝ｔ３．５）で終了し、決定したＭＣＳでパケットの送信が開始される。
【００７６】
一方、図４（Ｂ）は、本発明の一実施の形態における送信先決定部３０３及びＭＣＳ決定部３０４の動作を時間軸に沿って示す概念図である。この図における上段及び下段は図４（Ａ）と同様である。Ｔ＝ｔ０でＣＱＩ（１）の送信が開始され、Ｔ＝ｔ１でＣＱＩ（１）の送信が終了する。Ｔ＝ｔ１からＴ＝ｔ２までの間（Ｔ＝ｔ１．５）に、ＣＱＩ（１）は基地局装置で受信処理（復調・復号）され、送信先決定部３０３において、ＣＱＩ（１）を用いて送信先の決定が開始される。
【００７７】
ＣＱＩ（２）の送信終了時（Ｔ＝ｔ３）とＣＱＩ（３）の送信開始時（Ｔ＝ｔ４）の間（Ｔ＝ｔ３．５）に、基地局装置（送信先決定部３０３）では送信先の決定が終了する。また、ＣＱＩ（２）はこの送信先決定処理が行われている間に基地局装置に送信され、ＭＣＳ決定部３０４において、ＣＱＩ（２）を用いてＭＣＳの決定が行われる。ＭＣＳの決定は、ＣＱＩ（３）の送信終了時（Ｔ＝ｔ５）とＣＱＩ（４）の送信開始時（Ｔ＝ｔ６）の間（Ｔ＝ｔ５．５）で終了し、決定したＭＣＳでパケットの送信が開始される。
【００７８】
このように、本実施の形態では、ＭＣＳ決定に用いるＣＱＩより前に送信されたＣＱＩを用いて送信先装置を決定することにより、従来に比べ、送信先の通信端末装置の決定からＭＣＳ決定までに要する時間を拡大することができ、短時間で処理を行う必要が無くなるため、高性能（高速で処理可能）な処理装置を用いなくてもよい。
【００７９】
図４（Ａ）及び図４（Ｂ）を比較して、ＭＣＳの決定に用いられるＣＱＩについて見ると、従来では、ＣＱＩ（１）がＭＣＳ決定に用いられ、ＣＱＩ（１）の送信開始（Ｔ＝ｔ０）からＭＣＳ決定（Ｔ＝ｔ３．５）までｔ３．５−ｔ０だけ時間を要する。一方、本実施の形態では、ＭＣＳ決定に用いられるＣＱＩ（２）が送信開始（Ｔ＝ｔ２）されてからＭＣＳ決定（Ｔ＝ｔ５．５）までｔ５．５−ｔ２だけ時間を要する。ＣＱＩの送信タイミングは従来と本実施の形態とで同じであるので、ＭＣＳ決定に用いられるＣＱＩの送信からＭＣＳ決定までに要する時間、ｔ３．５−ｔ０とｔ５．５−ｔ２とは、パケット送信開始の時刻を基準にみると、実質的に同じであり、伝搬路状態の変化の度合いに差はない。このため、パケット送信時の伝搬路状態に対応した変調方式、符号化率及びコード多重数等とすることができる。すなわち、送信先の通信端末装置の決定からＭＣＳ決定までに要する時間を拡大しても、ＭＣＳ決定精度の劣化を回避することができる。
【００８０】
次に、本発明の実施の形態におけるスケジューラ部１５１の動作について図５を用いて説明する。この図において、ステップ（以下、「ＳＴ」と省略）５０１では、ＤＬ用ＴＰＣコマンドを積算し、ＳＴ５０２に移行する。
【００８１】
ＳＴ５０２では、ＳＴ５０１で算出したＴＰＣ積算値に基づいてＣＱＩ補正部３０２で補正したＣＱＩを送信先決定部３０３が取得する。
【００８２】
ＳＴ５０３において、送信先決定部３０３が取得した補正後のＣＱＩに基づいて送信先を決定し、ＳＴ５０４に移行する。
【００８３】
ＳＴ５０４では、ＳＴ５０１でＤＬ用ＴＰＣコマンドを積算した後に受信した通信端末装置からのＴＰＣコマンドを積算し、ＳＴ５０５に移行する。
【００８４】
ＳＴ５０５では、ＳＴ５０４で算出したＴＰＣ積算値に基づいてＣＱＩ補正部３０２で補正したＣＱＩ（送信先決定部３０３が取得した補正後のＣＱＩとは時間的に異なるＣＱＩ）をＭＣＳ決定部３０４が取得する。
【００８５】
ＳＴ５０６において、ＭＣＳ決定部３０４が取得した補正後のＣＱＩに基づいてＭＣＳを決定し、スケジューラ部１５１の動作を終了する。
【００８６】
このように本実施の形態によれば、基地局装置が、送信先の通信端末装置の決定とＭＣＳ決定を行う際に、通信端末装置において異なるタイミングで報告されたＣＱＩを用いることで、送信先の送信端末装置の決定から送信パラメータの決定、すなわちパケット送信開始までの処理時間を拡大することができ、単位時間あたりの処理量を削減することができるため、高性能（高速処理可能）な処理装置を用いる必要性をなくすことができ、また、ＭＣＳ決定に用いるＣＱＩを基地局装置にとって最も新しいＣＱＩとすることによりＭＣＳ決定精度の劣化を回避することができる。
【００８７】
なお、本実施の形態では、ＴＰＣの積算を行い、ＴＰＣの積算値を用いてＣＱＩの補正を行ったが、本発明はこれに限らず、他の要素によってＣＱＩを補正してもよいし、また、補正を行わなくてもよい。
【００８８】
【発明の効果】
以上説明したように、本発明によれば、通信端末装置で異なるタイミングで報告された下り回線状態を示す報告値を用いて、基地局装置において送信先の通信端末装置の決定と変調方式、符号化率及びコード多重数等の送信パラメータの決定とを行うことにより、送信先の通信端末装置の決定と送信パラメータの決定までの処理時間を拡大し、単位時間あたりの処理量を削減することができ、高速処理可能な処理装置を用いる必要性をなくすことができる。また、送信パラメータの決定に用いる報告値を基地局装置において最新の報告値とすることにより、送信パラメータの決定精度の劣化を回避することができる。
【図面の簡単な説明】
【図１】本発明の実施の形態に係る基地局装置の構成を示すブロック図
【図２】本発明の実施の形態に係る基地局装置と無線通信を行う通信端末装置の構成を示すブロック図
【図３】本発明の実施の形態に係る基地局装置におけるスケジューラ部の内部構成を示すブロック図
【図４】本発明の実施の形態における送信先決定部及びＭＣＳ決定部の動作を説明するための概念図
【図５】本発明の実施の形態に係る基地局装置におけるスケジューラ部の動作を示すフロー図
【符号の説明】
１５１  スケジューラ部
１５２  バッファ
１５３  変調部
２１３  ＣＱＩ生成部
３０１  ＴＰＣ積算部
３０２  ＣＱＩ補正部
３０３  送信先決定部
３０４  ＭＣＳ決定部
３０５  ＨＳ−ＳＣＣＨ用信号生成部
【図１】
2004215104.tif 000003
【図２】
2004215104.tif 000004
【図３】
2004215104.tif 000005
【図４】
2004215104.tif 000006
【図５】
2004215104.tif 000007